(57)【要約】【課題】  ビル避難用設備の提供。【解決手段】  建築物の一側の二つの避難口の側辺に二つの直立するスライドレールが設けられ、スライドレールが円柱状を呈し並びに地面より建築物の屋上まで延伸され、建築物の屋上にスライドレールに対応するホルダフレームが設けられ、ホルダフレームにプーリが固定され、二つのホルダフレームのプーリ間にワイヤが掛けられ、ワイヤの両端が避難箱に接続され、避難箱に外周が凹円弧状を呈し並びにスライドレールを挟持する位置決め輪が設けられ、避難箱の底面に緩衝装置が設けられ、避難口に向いた一側に出入口が設けられ、ゆえに避難者が避難箱を利用して下降する時、別の避難箱がワイヤで牽引され上昇し、即刻その他の避難者の使用に供され、快速避難が行なえ、更に安全性が高く高さの制限を受けないものとされる。【選択図】        図１
0003107891.tif 000002
【実用新案登録請求の範囲】
【請求項１】
ビル避難用設備において、建築物（１０）の屋上に二つのホルダフレーム（２０）が設けられ、ホルダフレーム（２０）にプーリ（２１）が固定され、二つのホルダフレーム（２０）のプーリ（２１）間にワイヤ（２２）が掛けられ、ワイヤ（２２）の両端が避難箱（３０）に接続され、建築物（１０）の一側にホルダフレーム（２０）に対応してそれぞれ二つのスライドレール（２３）が設置され、スライドレール（２３）が地面よりホルダフレーム（２０）の前側面まで延伸され、且つ避難箱（３０）にスライドレール（２３）を挟持する位置決め輪（３３）が設けられ、別に避難箱（３０）の底面に緩衝装置（３６）が設けられ、並びに側面に出入口（３１）が形成され、出入口（３１）の底端に避難扉（１１）に向けて延伸板（３２）が延設され、避難箱（３０）内に制動装置（３４）、（３５）が設けられ、制動装置（３４）、（３５）は避難箱（３０）のスライドレール（２３）に対抗する一側に挟持体（３４１）、（３５１）を具え、挟持体（３４１）、（３５１）の外側がスライドレール（２３）を挟持し、且つ挟持体（３４１）、（３５１）のスライドレール（２３）に対する挟持部分に制動片（３４２）、（３５２）が設けられ、挟持体（３４１）、（３５１）の内側に弾力部品（３４３）、（３５３）が設けられたことを特徴とする、ビル避難用設備。
【請求項２】
請求項１記載のビル避難用設備において、挟持体（３５１）の内側に制動線（３５４）が設けられ、該制動線（３５４）にペダル（３５５）が接続されたことを特徴とする、ビル避難用設備。
【請求項３】
請求項１記載のビル避難用設備において、スライドレール（２３）が円柱状を呈し、位置決め輪（３３）外周はスライドレール（２３）に対応する凹円弧状を呈することを特徴とする、ビル避難用設備。
【考案の詳細な説明】
【技術分野】
【０００１】
本考案は一種のビル避難用設備に係り、特に、動力設備を必要とせずに迅速な避難の目的を達成できる実用性を具えた構造に関する。
【背景技術】
【０００２】
大都市では高層ビルが林立しているが、消防及び避難設備は不足している。また路が狭く、停車車両が消防車の出入りを邪魔し、且つ非常に多くの地区で水源が不足し、一旦火災が発生すると、厳重な被害をもたらしうる。このため、公衆使用される建築物には消防設備と避難設備を設置する必要があり、そのうち最もよく目にされる避難設備は緩降設備であり、緩降設備は建築物の各階の定点位置にホルダフレームが固定され、緩降機が置かれ、火災警報発生時に、緩降機がホルダフレームに掛けられ、更に緩降機のリングが引き出されて避難者の身体に装着され、避難者の体重により、ビルからゆっくりと垂直に地面まで下降することができる。
【０００３】
しかし、このような普遍的に使用されている緩降設備には、避難速度が緩慢で、安全性が低く、使用高さの制限を受ける等の欠点がある。即ち、
１．避難速度が緩慢である：
避難者が順調に垂直に地面に下降した後、緩降機のリングを巻き取って、次の避難者に装着しなければならず、避難速度が緩慢で、且つリング巻取りの時間を浪費する。
２．安全性が低い：
避難者が垂直下降する過程で、避難者はリングにより宙に吊り下げられ、周辺に牽引設計がなく、避難者が外力により揺れたり回転しやすい。
３．使用高さの制限を受ける：
緩降設備は前述の潜在的な危険性を有し、このため中、低層ビルでしか使用できない。
【考案の開示】
【考案が解決しようとする課題】
【０００４】
このように、周知の緩降設備は避難速度が緩慢で、安全性が低く、使用高さの制限を受ける欠点があり、本考案はそれらの欠点を改善し、動力を必要とせず迅速に避難できるビル避難用設備を提供することを目的とする。
【課題を解決するための手段】
【０００５】
請求項１の考案は、ビル避難用設備において、建築物（１０）の屋上に二つのホルダフレーム（２０）が設けられ、ホルダフレーム（２０）にプーリ（２１）が固定され、二つのホルダフレーム（２０）のプーリ（２１）間にワイヤ（２２）が掛けられ、ワイヤ（２２）の両端が避難箱（３０）に接続され、建築物（１０）の一側にホルダフレーム（２０）に対応してそれぞれ二つのスライドレール（２３）が設置され、スライドレール（２３）が地面よりホルダフレーム（２０）の前側面まで延伸され、且つ避難箱（３０）にスライドレール（２３）を挟持する位置決め輪（３３）が設けられ、別に避難箱（３０）の底面に緩衝装置（３６）が設けられ、並びに側面に出入口（３１）が形成され、出入口（３１）の底端に避難扉（１１）に向けて延伸板（３２）が延設され、避難箱（３０）内に制動装置（３４）、（３５）が設けられ、制動装置（３４）、（３５）は避難箱（３０）のスライドレール（２３）に対抗する一側に挟持体（３４１）、（３５１）を具え、挟持体（３４１）、（３５１）の外側がスライドレール（２３）を挟持し、且つ挟持体（３４１）、（３５１）のスライドレール（２３）に対する挟持部分に制動片（３４２）、（３５２）が設けられ、挟持体（３４１）、（３５１）の内側に弾力部品（３４３）、（３５３）が設けられたことを特徴とする、ビル避難用設備としている。
請求項２の考案は、請求項１記載のビル避難用設備において、挟持体（３５１）の内側に制動線（３５４）が設けられ、該制動線（３５４）にペダル（３５５）が接続されたことを特徴とする、ビル避難用設備としている。
請求項３の考案は、請求項１記載のビル避難用設備において、スライドレール（２３）が円柱状を呈し、位置決め輪（３３）外周はスライドレール（２３）に対応する凹円弧状を呈することを特徴とする、ビル避難用設備としている。
【考案の効果】
【０００６】
本考案は以下のような効果を達成している。
１．避難が迅速に行なえる
建築物の屋上の二組のプーリの間にワイヤが掛けられ、並びに二つの避難箱がそれぞれワイヤの両端に固定され、ゆえに避難者がそのうち一つの避難箱を利用して下降する時、ワイヤの牽引により、もう一つの避難箱が上昇し、即刻その他の避難者の使用に供され、待機時間の浪費を無くすことができる。
２．安全性が高い
避難箱はスライドレールの案内下で下降し、且つ避難箱底面に緩衝作用を具えた緩衝装置が設けられているため、避難者が避難箱着地時に怪我をするのを防止できる。
３．高さの制限を受けない
避難箱の間にワイヤの牽引連動以外にスライドレールにより二つの避難箱のスライド動作が案内され、ビルの高さの制限を受けず、また避難箱の上下スライドの安定性が増されている。
【考案を実施するための最良の形態】
【０００７】
本考案は一種のビル避難用設備を提供し、それは、建築物の一側の二つの避難口の側辺に二つの直立するスライドレールが設けられ、スライドレールが円柱状を呈し並びに地面より建築物の屋上まで延伸され、建築物の屋上にスライドレールに対応するホルダフレームが設けられ、ホルダフレームにプーリが固定され、二つのホルダフレームのプーリ間にワイヤが掛けられ、ワイヤの両端が避難箱に接続され、避難箱に外周が凹円弧状を呈し並びにスライドレールを挟持する位置決め輪が設けられ、避難箱の底面に緩衝装置が設けられ、避難口に向いた一側に出入口が設けられ、ゆえに避難者が避難箱を利用して下降する時、別の避難箱がワイヤで牽引され上昇し、即刻その他の避難者の使用に供され、快速避難が行なえ、更に安全性が高く高さの制限を受けないものとされる。
【０００８】
本考案は従来の緩降設備の避難速度が緩慢で、安全性が低く、使用高さの制限を受ける欠点を解決し、動力を必要とせず迅速に避難でき、安全性が高く高さの制限を受けないビル避難用設備を提供している。
【実施例１】
【０００９】
図１、２、３を参照されたい。本考案はビル避難用設備を提供し、それによると、建築物（１０）の各階の同一側面に少なくとも二つ以上の避難口が設けられ、避難口は避難扉（１１）、避難窓或いはベランダとされうる。図示される実施例では避難扉（１１）とされている。且つ避難扉（１１）の一側に二つの直立並行形態を呈するスライドレール（２３）が設置され、スライドレール（２３）は地面より建築物（１０）の屋上まで延伸され、且つ円柱状形態を呈する。このほか、建築物（１０）の屋上の辺縁のスライドレール（２３）に対応する位置に、二つのホルダフレーム（２０）が設けられ、ホルダフレーム（２０）は建築物（１０）の辺縁外に突出し、且つその底面に前後に固定された二つのプーリ（２１）を具え、二つのホルダフレーム（２０）前側のプーリ（２１）の間にワイヤ（２２）が掛けられ、二つのホルダフレーム（２０）の後側のプーリ（２１）にワイヤ（２２）が掛けられ、且つワイヤ（２２）はプーリ（２１）上で少なくとも一周以上巻かれ、二つのワイヤ（２２）の両側端部がそれぞれ二つの避難箱（３０）の上面に固定される。
【００１０】
更に図４に示されるように、避難箱（３０）に複数の二つずつが一組とされた位置決め輪（３３）が設けられ、位置決め輪（３３）の輪体外周面は凹円弧状を呈し、それが円柱形形態のスライドレール（２３）を挟持し転がり、脱出せず、避難箱（３０）の底面に緩衝作用を有する緩衝装置（３６）が設けられ、図示される実施例ではスプリング設計とされている。避難箱（３０）の内部は中空を呈し、且つその避難扉（１１）に向いた一側に開放形態の出入口（３１）が形成され、出入口（３１）の底端に避難扉（１１）に向けて突出する延伸板（３２）が設けられている。このほか、図５に示されるように、避難箱（３０）の内部に少なくとも二組の制動装置（３４）、（３５）が設けられ、制動装置（３４）、（３５）はいずれも避難箱（３０）のスライドレール（２３）に対抗する一側に枢設された挟持体（３４１）、（３５１）を具え、挟持体（３４１）、（３５１）の外側端はスライドレール（２３）を挟持し、且つ挟持体（３４１）、（３５１）のスライドレール（２３）に対する挟持部分に制動片（３４２）、（３５２）が固定され、挟持体（３４１）、（３５１）の内側端に弾力部品（３４３）、（３５３）が設置され、この制動片（３４２）、（３５２）は恒常的に挟持体（３４１）、（３５１）の挟持を受けてスライドレール（２３）に圧接され、そのうち、一つの挟持体（３４１）内側部分が圧迫されると、挟持体（３４１）の外側端が外向きに拡張し、並びに制動片（３４２）はスライドレール（２３）に非圧接状とされる。ただし、もう一つの制動装置（３５）の挟持体（３５１）の内側端に制動線（３５４）が設けられ、制動線（３５４）はペダル（３５５）に接続され、ペダル（３５５）が踏まれる時、挟持体（３５１）の外側端を外張させ、並びに制動片（３５２）をスライドレール（２３）に対して非圧接状態とする。
【００１１】
更に図６に示されるように、使用時に、建築物（１０）の各階の避難者は避難扉（１１）及び延伸板（３２）より避難箱（３０）に進入し、その後、手で制動装置（３４）の外端を外張させ、葦でもう一つの制動装置（３５）のペダル（３５５）を踏んでその挟持体（３５１）の外端を外張させれば、二つの制動装置（３４）、（３５）の制動片（３４２）、（３５２）がスライドレール（２３）に非圧接状態となり、避難箱（３０）が順調にスライドレール（２３）に沿って下降し、下降過程で、避難者は制動装置（３４）、（３５）により随時避難箱（３０）の下降速度を制御でき、且つ避難箱（３０）が着地した時、緩衝装置（３６）が緩衝と振動防止効果を提供し、避難箱（３０）中の避難者が怪我をするのを防止する。このとき、もう一つの避難箱（３０）はワイヤ（２２）の牽引により引き上げられ、即刻その他の避難者の使用に供され、こうして避難速度を加速できる。
【図面の簡単な説明】
【００１２】
【図１】本考案の正面図である。
【図２】本考案の側面図である。
【図３】本考案の平面図である。
【図４】本考案の避難箱の断面図である。
【図５】本考案の制動装置の局部断面図である。
【図６】本考案の実施表示図である。
【符号の説明】
【００１３】
１０  建築物                  １１  避難扉
２０  ホルダフレーム          ２１  プーリ
２２  ワイヤ                  ２３  スライドレール
３０  避難箱                  ３１  出入口
３２  延伸板                  ３３  位置決め輪
３４、３５  制動装置          ３４１、３５１  挟持体
３４２、３５２  制動片        ３４３、３５３  弾力部品
３５４  制動線                ３５５  ペダル
３６  緩衝装置
【図１】
0003107891.tif 000003
【図２】
0003107891.tif 000004
【図３】
0003107891.tif 000005
【図４】
0003107891.tif 000006
【図５】
0003107891.tif 000007
【図６】
0003107891.tif 000008